(57)【要約】【課題】継手基体に固定されたカラーへの亀裂発生を抑制する。【解決手段】パイプ継手１０は、継手基体１２と、樹脂カラー１４と、を備えている。継手基体１２は、軸方向他方側に向けて延びる筒状の基体筒部３０と、基体筒部３０の外周面から径方向外側に向けて突出する抜止め突起３１と、基体筒部３０の端面から延出され基体筒部３０よりも小径とされた内筒３２と、を備えている。樹脂カラー１４は、基体筒部３０へ外装される第１筒部４４と、第１筒部４４から軸方向へ延設されていると共に第１筒部４４の内径よりも大きな内径とされ、内筒３２との間にパイプが挿入される環状空間を形成すると共に第１筒部４４との間に抜止め突起３１と係合する段差部４８を形成する第２筒部４６と、を備えている。また、段差部４８には、第１筒部４４の内周面Ｓ１と第２筒部４６の内周面Ｓ２とを繋ぐ斜面Ｓ３が形成されている。【選択図】図４
2015224652.tif 000002
【特許請求の範囲】
【請求項１】
基体筒部と、前記基体筒部の外周面から径方向外側に向けて突出する抜止め突起と、前記基体筒部の端面から延出され前記基体筒部よりも小径とされた内筒と、を有する継手基体と、
前記基体筒部へ外装される第１筒部と、前記第１筒部から軸方向へ延設されていると共に前記第１筒部の内径よりも大きな内径とされ、前記内筒との間にパイプが挿入される環状空間を形成すると共に前記第１筒部との間に前記抜止め突起と係合する段差部を形成する第２筒部と、前記段差部に形成される斜面を有するカラーと、
を備えたパイプ継手。
【請求項２】
前記斜面が、径方向視で湾曲している又はテーパ状に形成されている請求項１記載のパイプ継手。
【請求項３】
前記斜面における前記第２筒部側の部位が、前記第２筒部の内径よりも小径とされかつ径方向視で前記継手基体側が開放された凹状部とされている請求項１又は請求項２記載のパイプ継手。
【請求項４】
前記斜面における前記第１筒部側の部位が、前記第１筒部の内径よりも大径とされかつ径方向視で前記継手基体側に向けて凸状とされた凸状部とされている請求項１〜請求項３のいずれか１項に記載のパイプ継手。
【発明の詳細な説明】
【技術分野】
【０００１】
本発明は、パイプ継手に関する。
【背景技術】
【０００２】
特許文献１には、パイプの端部を他の配管等に接続するために用いられるパイプ継手が開示されている。このパイプ継手は、内部が流路とされた継手基体を備えており、この継手基体には、透明のカラーが取付けられている。また、継手基体には、抜け止め用の突起部が設けられており、カラーの段差部が突起部に係合することによって、カラーが継手基体から外れることが抑制されている。
【先行技術文献】
【特許文献】
【０００３】
【特許文献１】特開２０１２−２２５３８４号公報
【発明の概要】
【発明が解決しようとする課題】
【０００４】
しかしながら、特許文献１に記載されたカラーは、継手基体に設けられた抜け止め用の突起部を乗り越えながら継手本体に圧入される構造とされている。そのため、カラーが抜け止め用の突起部を乗り越える際に、突起部に係合する段差部が屈曲変形し、当該屈曲変形した部分に亀裂が生じることが考えられる。
【０００５】
本発明は上記事実を考慮し、継手基体に固定されたカラーへの亀裂発生を抑制することができるパイプ継手を得ることが目的である。
【課題を解決するための手段】
【０００６】
請求項１記載のパイプ継手は、基体筒部と、前記基体筒部の外周面から径方向外側に向けて突出する抜止め突起と、前記基体筒部の端面から延出され前記基体筒部よりも小径とされた内筒と、を有する継手基体と、前記基体筒部へ外装される第１筒部及び、前記第１筒部から軸方向へ延設されていると共に前記第１筒部の内径よりも大きな内径とされ、前記内筒との間にパイプが挿入される環状空間を形成すると共に前記第１筒部との間に前記抜止め突起と係合する段差部を形成する第２筒部及び、前記段差部に形成される斜面を有するカラーと、を備えている。
【０００７】
請求項１記載のパイプ継手によれば、カラーを軸方向一方側に移動させて、当該カラーの第１筒部を基体筒部に外装させ、カラーの段差部を抜止め突起に係合させることによって、カラーが継手基体に固定される。ここで、本パイプ継手によれば、第１筒部の内周面と第２筒部の内周面とが斜面によって繋がれていることにより、段差部が抜止め突起を乗り越える際に、段差部の斜面が抜け止め突起に引っ掛かり難くなる。これにより、段差部の斜面に屈曲部が形成され難くなり、屈曲部を起点とする樹脂カラーへの亀裂発生を抑制することができる。
【０００８】
請求項２記載のパイプ継手は、請求項１記載のパイプ継手において、前記斜面が、径方向視で湾曲している又はテーパ状に形成されている。
【０００９】
請求項２記載のパイプ継手によれば、斜面が上記のように形成されていることにより、段差部が抜止め突起を乗り越える際に、段差部の斜面が抜け止め突起に引っ掛かることをより一層抑制することができる。
【００１０】
請求項３記載のパイプ継手は、請求項１又は請求項２記載のパイプ継手において、前記斜面における前記第２筒部側の部位が、前記第２筒部の内径よりも小径とされかつ径方向視で前記継手基体側が開放された凹状部とされている。
【００１１】
請求項３記載のパイプ継手によれば、斜面の前記第２筒部側の部位が上記のように形成されていることにより、斜面の前記第２筒部側の部位が抜止め突起に引っ掛かることをより一層抑制することができる。また、凹状部としていることで、仮に引っ掛かりが生じたとしても、屈曲の程度を軽減することが出来る。
【００１２】
請求項４記載のパイプ継手は、請求項１〜請求項３のいずれか１項に記載のパイプ継手において、前記斜面における前記第１筒部側の部位が、前記第１筒部の内径よりも大径とされかつ径方向視で前記継手基体側に向けて凸状とされた凸状部とされている。
【００１３】
請求項４記載のパイプ継手によれば、斜面の軸方向一方側の部位が上記のように形成されていることにより、段差部が抜止め突起を乗り越える際に、凸状部が一層変形しにくくなる。
【発明の効果】
【００１４】
本発明に係るパイプ継手は、継手基体に固定されたカラーに高応力部位が生じることを抑制することができる、という優れた効果を有する。
【図面の簡単な説明】
【００１５】
【図１】パイプ継手を示す部分側断面図である。
【図２】パイプ継手を分解して示す部分側断面図である。
【図３】パイプ継手を拡大して示す側断面図である。
【図４】図３において一点鎖線で囲まれた部位を拡大して示す拡大断面図である。
【発明を実施するための形態】
【００１６】
図１〜図４を用いて本発明の実施形態に係るパイプ継手について説明する。
【００１７】
図１及び図２に示されるように、パイプ継手１０は、継手基体１２と、カラーとしての樹脂カラー１４と、パイプ保持部材１６と、開放リング１８と、キャップ２０と、２つのＯリング２２と、を有して構成されている。
【００１８】
継手基体１２は、樹脂カラー１４よりも硬質の材料である砲金、青銅の銅合金等の金属材料やガラス繊維等により強化した強化樹脂を用いて筒状に形成されており、継手基体１２の内部は、給水や給湯用の水や湯が通過する流路２４とされている。継手基体１２の軸方向一方側の端部には、他の継手部材へ装着されるおねじ部２６が形成されている。なお、他の継手部材へ装着されるめねじ部を継手基体１２の軸方向一方側の端部に形成した構成とすることもできる。また、おねじ部２６の外周からは、軸方向視で外周縁が六角形状に形成された六角部２８が突出されている。また、六角部２８の軸方向他方側の端面からは、後述する樹脂カラー１４が圧入される筒状の基体筒部３０が軸方向他方側に向けて延出されている。基体筒部３０の軸方向他方側の端部には、基体筒部３０の外周面から径方向外側に向けて突出する抜止め突起３１が設けられており、この抜止め突起３１は、圧入された樹脂カラー１４の抜け出し防止用として機能する。さらに、基体筒部３０の軸方向他方側の端面からは、基体筒部３０よりも小径とされた筒状の内筒３２が軸方向他方側に向けて延出されている。この内筒３２の外周面には２つの溝３４が軸方向に間隔を空けて形成されており、２つの溝３４にはシール用のＯリング２２が嵌め込まれている。
【００１９】
樹脂カラー１４は、透明な樹脂材料であるポリアミド又はポリカーボネート等の透明樹脂材料を用いて筒状に形成されており、この樹脂カラー１４の軸方向一方側の端部は、継手基体１２の基体筒部３０に圧入される圧入部３６とされている。
【００２０】
パイプ保持部材１６は、樹脂カラー１４の軸方向他方側に配置されており、このパイプ保持部材１６は、パイプ４０を囲む環状に形成されている。また、パイプ保持部材１６は、断面がＬ字状に形成されていると共に、このパイプ保持部材１６の径方向内側の端部は爪部１６Ａとされている。パイプ４０が抜け出る方向へ移動したときに、パイプ４０の外表面に爪部１６Ａが引っ掛かることによって、パイプ４０がパイプ継手１０から外れることが抑制されるようになっている。
【００２１】
開放リング１８は、パイプ保持部材１６の軸方向他方側に配置されており、この開放リング１８は、軸方向にパイプ４０に沿って移動可能とされている。開放リング１８を軸方向一方側へ移動させることによって、開放リング１８がパイプ保持部材１６の爪部１６Ａとパイプ４０の外表面との間に入り込み、パイプ４０の外表面と爪部１６Ａとを離間させる。これにより、パイプ４０をパイプ継手１０から取り外すことが可能となっている。
【００２２】
キャップ２０は、ポリアセタール樹脂等を用いて筒状に形成されており、このキャップ２０は、樹脂カラー１４の後述する被係合凹部４２に係合し、解放リング１８の軸方向他方側への抜け出しを防止している。これにより、樹脂カラー１４、パイプ保持部材１６及び開放リング１８の軸方向の相対的な移動が規制されるようになっている。
【００２３】
次に、本実施形態の要部である樹脂カラー１４の詳細な構成について説明する。
【００２４】
図３及び図４に示されるように、樹脂カラー１４は、内径が異なる第１筒部４４、第２筒部４６及び段差部４８の３つの部位を備えている。
【００２５】
樹脂カラー１４の軸方向一方側の部位が第１筒部４４とされており、この第１筒部４４は、樹脂カラー１４が継手基体１２に固定された状態において基体筒部３０の外周側に配置される（外装される）ようになっている。また、第１筒部４４の内径はＤ１とされている。
【００２６】
樹脂カラー１４の軸方向他方側の部位が第２筒部４６とされており、この第２筒部４６は、樹脂カラー１４が継手基体１２に固定された状態において抜止め突起３１の外周側及び継手基体１２の内筒３２の外周側に配置されるようになっている。また、第２筒部４６の内径Ｄ２は第１筒部４４の内径Ｄ１よりも大きな内径とされている。さらに、樹脂カラー１４が継手基体１２に固定されることによって、第２筒部４６と継手基体１２の内筒３２との間にパイプ４０が挿入される環状空間が形成されるようになっている。また、第２筒部４６の軸方向他方側の部位には、キャップ２０が係合する被係合凹部４２が形成されている。
【００２７】
樹脂カラー１４において第１筒部４４と第２筒部４６との間の部位が段差部４８とされており、この段差部４８の内周面は、第１筒部４４の内周面Ｓ１と第２筒部４６の内周面Ｓ２とを繋ぐと共にパイプ継手１０の中心線Ｌに対して傾斜された斜面Ｓ３とされている。また、斜面Ｓ３の内径は、軸方向一方側に向かうにつれて次第に窄まっている。具体的には、斜面Ｓ３の内径Ｄ３は、第１筒部４４の内径Ｄ１を超える内径から第２筒部４６の内径Ｄ２未満の内径の範囲内で軸方向一方側に向かうにつれて次第に縮径している。なお、図４においては、斜面Ｓ３における一の内径を示している。
【００２８】
また、斜面Ｓ３における第１筒部４４側の部位は、側断面視（径方向視）で継手基体１２側に向けて凸状とされた凸状部５０とされている。さらに、斜面Ｓ３における第２筒部４６側の部位は、側断面視で継手基体１２側が開放された凹状部５２とされている。そして、斜面Ｓ３の軸方向の中間部は、凸状部５０と凹状部５２とを繋ぐテーパ部５４とされている。また、本実施形態では、テーパ部５４とパイプ継手１０の中心線Ｌとのなす角度が３０〜６０ｄｅｇの範囲内となるように設定されている。さらに、本実施形態では、凸状部５０及び凹状部５２の側断面視での半径が０．２ｍｍに設定されている。
【００２９】
（本実施形態の作用並びに効果）
次に、本実施形態の作用並びに効果について説明する。
【００３０】
図３及び図４に示されるように、本実施形態のパイプ継手１０によれば、樹脂カラー１４を軸方向一方側に移動させて、当該樹脂カラー１４の第１筒部４４を基体筒部３０に外装させ、樹脂カラー１４の段差部４８を抜止め突起３１に係合させることによって、樹脂カラー１４が継手基体１２に固定される。
【００３１】
ここで、本実施形態では、段差部４８の斜面Ｓ３の内径Ｄ３が上記のように設定されていることにより、段差部４８が抜止め突起３１を乗り越える際に、当該段差部４８の斜面Ｓ３に形成された凸状部５０が変形し難くなる。これにより、段差部４８の斜面Ｓ３に形成された凹状部５２に屈曲部が形成され難くなり、ひいては、継手基体１２に固定された樹脂カラー１４への亀裂発生を抑制することができる。
【００３２】
また、本実施形態では、斜面Ｓ３の第１筒部４４側及び第２筒部４６側の部位が、それぞれ上記の凸状部５０及び凹状部５２とされている。これにより、段差部４８が抜止め突起３１を乗り越える際に、当該段差部４８の斜面Ｓ３が抜止め突起３１に引っ掛かることをより一層抑制することができる。
【００３３】
なお、本実施形態では、上記凸状部５０及び凹状部５２を斜面Ｓ３に設けた例について説明してきたが、本発明はこれに限定されず、例えば、上記凸状部５０及び凹状部５２を斜面Ｓ３に設けない構成とすることもできる。凸状部５０及び凹状部５２を斜面Ｓ３に設けるか否かについては、抜止め突起３１の形状等を考慮して適宜設定すればよい。また、凸状部５０及び凹状部５２のどちらか一方を斜面Ｓ３に設けた構成とすることもできる。
【００３４】
以上、本発明の一実施形態について説明したが、本発明は、上記に限定されるものでなく、その主旨を逸脱しない範囲内において上記以外にも種々変形して実施することが可能であることは勿論である。
【符号の説明】
【００３５】
１０       パイプ継手
１２       継手基体
１４       樹脂カラー（カラー）
３０       基体筒部
３１       抜止め突起
３２       内筒
４４       第１筒部
４６       第２筒部
４８       段差部
５０       凸状部
５２       凹状部
Ｄ１       第１筒部の内径
Ｄ２       第２筒部の内径
Ｓ１       第１筒部の内周面
Ｓ２       第２筒部の内周面
Ｓ３       斜面
【図１】
2015224652.tif 000003
【図２】
2015224652.tif 000004
【図３】
2015224652.tif 000005
【図４】
2015224652.tif 000006